(57)【要約】【課題】  携帯端末等の電子機器において、色情報を容易に取得し、取得した色情報を保存してアプリケーションに利用することを可能にする。【解決手段】  カメラ部１０１で撮影したオブジェクト１１を表示部１０３に表示し、ユーザの取得したい色情報をターゲット１３内の１ドット、若しくは複数ドットで指定して取得する。取得した色情報は、色データ変換部１０６で色データに変換し、色データ保存部１０８に記憶して保存する。また、画像保存部１０４に予め保存されている画像やインターネットのｗｅｂ閲覧画像を表示部１０３に表示し、同様にして、ユーザの好みの色情報を取得するとともに、変換された色データを色データ保存部１０８に記憶、保存する。保存された色データは、アプリケーション部１０９においてフォントの色や待ち受け画面の背景色として随意利用する。【選択図】  図１
2006344028.tif 000002
【特許請求の範囲】
【請求項１】
画像情報を取得する画像情報取得部と、
該取得した画像情報を表示する表示部と、
該表示した画像情報から任意の色情報を指定する色情報指定部と、
該指定した色情報を色データに変換する色データ変換部と、
該変換した色データを取得する色データ取得部と、
該取得した色データを記憶する色データ記憶部と、
を備える電子機器。
【請求項２】
請求項１に記載の電子機器であって、
前記画像情報取得部は撮像部によって構成され、
前記画像情報は、前記撮像部によって撮像されたものである電子機器。
【請求項３】
請求項１又は２に記載の電子機器であって、
前記画像情報取得部は予め所定の画像情報を記憶している画像情報記憶部によって構成され、
前記画像情報は、前記画像情報記憶部に記憶されたものである電子機器。
【請求項４】
請求項１ないし３のいずれかに記載の電子機器であって、
前記画像情報取得部は外部の電子機器との間で画像情報を含む情報を送受信する通信部によって構成され、
前記画像情報は、該通信部によるインターネットのｗｅｂ閲覧で取得されたものである電子機器。
【請求項５】
請求項１ないし４のいずれかに記載の電子機器であって、
前記色情報指定部は、前記表示部に表示された１ドットを基にして色情報を指定する電子機器。
【請求項６】
請求項１ないし４のいずれかに記載の電子機器であって、
前記色情報指定部は、前記表示部に表示された複数のドットを基にして色情報を指定する電子機器。
【請求項７】
請求項６に記載の電子機器であって、
前記色データ変換部は、前記表示部に表示された複数のドットの色情報を平均化して色データに変換する電子機器。
【請求項８】
請求項６に記載の電子機器であって、
前記色データ変換部は、前記表示部に表示された複数のドットに最も多く含まれる色情報を色データに変換する電子機器。
【請求項９】
請求項４ないし８のいずれかに記載の電子機器であって、
前記通信手段を用いて前記色データを他の電子機器に送信する電子機器。
【請求項１０】
請求項４ないし９のいずれかに記載の電子機器であって、
さらに、前記通信手段によって受信したメールから色データを認識する色データ認識部を備え、
前記色データ取得部は、前記認識した色データを取得する電子機器。
【請求項１１】
画像情報を取得するステップと、
該取得した画像情報を表示するステップと、
該表示した画像情報から任意の色情報を指定するステップと、
該指定した色情報を色データに変換するステップと、
該変換した色データを取得するステップと、
該取得した色データを記憶するステップと、
を有する電子機器の色情報取得方法。
【請求項１２】
請求項１１に記載の電子機器の色情報取得方法であって、
前記色情報を指定するステップは、前記表示した画像情報の１ドットを基にして色情報を指定する電子機器の色情報取得方法。
【請求項１３】
請求項１１に記載の電子機器の色情報取得方法であって、
前記色情報を指定するステップは、前記表示した画像情報の複数のドットを基にして色情報を指定する電子機器の色情報取得方法。
【請求項１４】
前記電子機器が携帯端末である請求項１ないし１３のいずれかに記載の電子機器。
【発明の詳細な説明】
【技術分野】
【０００１】
本発明は、任意の色情報を取得してアプリケーションに利用することのできる電子機器、電子機器の色情報取得方法に関する。
【背景技術】
【０００２】
パソコンでは、色を赤（Ｒ）、緑（Ｇ）、青（Ｂ）の３つのチャンネルの合成として表現し、メールその他のアプリケーションで利用している。一方、携帯電話においてメールを作成する場合には、予め登録されている所定の色情報の中からいずれかを選択して利用する方法が一般的であり、ユーザの好きな色、又は利用したい色を必ずしも選択できるとは限らないという不便さがある。
【０００３】
従来、色情報を管理するカラーマネジメントシステムの全体に渡って色空間を正規化することにより、色情報を正確に交換する方法が示されている（例えば、特許文献１参照）。しかしながら、この例は、正規化した色情報はデバイス間で交換するだけであり、それを保存して利用することができなかった。
【０００４】
また、サーバーを介することで、携帯端末のデジタルカメラにより物体を撮影してその物体に関する情報を即座に閲覧することを可能にする携帯端末の例が開示されている（例えば、特許文献２参照）。しかしながら、上記従来の携帯端末にあっては、画像に含まれる様々な情報を表示するだけであり、その情報のすべて、又は一部を保存して携帯端末において利用することはできなかった。
【特許文献１】特開２００１―２０３９０５号公報
【特許文献２】特開２００４−１４５４１６号公報
【発明の開示】
【発明が解決しようとする課題】
【０００５】
本発明は、上記の事情に鑑みてなされたものであって、携帯端末等の電子機器において、色情報を容易に取得し、取得した色情報を色データに変換して保存することにより、アプリケーションに利用することを可能にする電子機器、電子機器の色情報取得方法を提供することを目的とする。
【課題を解決するための手段】
【０００６】
本発明の電子機器は、画像情報を取得する画像情報取得部と、該取得した画像情報を表示する表示部と、該表示した画像情報から任意の色情報を指定する色情報指定部と、該指定した色情報を色データに変換する色データ変換部と、該変換した色データを取得する色データ取得部と、該取得した色データを記憶する色データ記憶部と、を備えている。尚、画像情報取得部は後述する撮像部や、画像情報記憶部や、通信部等により構成されるが、画像情報を取得することができるものであれば、その態様は限定されない。従って、この画像情報は、予め電子機器の内部や、外部の記録媒体に記録された情報と、新たに取得されたばかりの情報をも含む。
【０００７】
この構成により、カメラ付き携帯電話等の電子機器でユーザの周囲にある物を撮影し、撮影した画像からユーザの好みに合う色情報を取得して記憶、保存することにより、メール等のアプリケーションで利用できるようになる。また、予め電子機器に保存された画像やインターネットによるｗｅｂ画像から、ユーザが使いたい色情報を取得して記憶、保存することにより、メール等のアプリケーションにおいて利用することができる。
【０００８】
また、本発明の一態様として、上記の電子機器において、前記画像情報取得部が撮像部によって構成され、前記画像情報は、前記撮像部によって撮像されたものであるものも含まれる。
【０００９】
この構成により、電子機器に付属するカメラ等の撮像手段によってユーザの周囲にある物を撮影し、撮影した画像からユーザの好みに合う色情報を取得して記憶、保存することにより、メール等のアプリケーションで利用できるようになる。
【００１０】
また、本発明の一態様として、上記の電子機器において、前記画像情報取得部が予め所定の画像情報を記憶している画像情報記憶部によって構成され、前記画像情報は、前記画像情報記憶部に記憶されたものであるものも含まれる。
【００１１】
この構成により、保存されている画像情報からユーザが使いたい色情報を取得して記憶、保存することにより、メール等のアプリケーションで利用することができる。
【００１２】
また、本発明の一態様として、上記の電子機器において、前記画像情報取得部が外部の電子機器との間で画像情報を含む情報を送受信する通信部によって構成され、前記画像情報は、該通信部によるインターネットのｗｅｂ閲覧で取得されたものであるものも含まれる。
【００１３】
この構成により、インターネットなどを介してダウンロードした画像の中からユーザが使いたい色情報を取得して記憶、保存することにより、メール等のアプリケーションで利用できる。
【００１４】
また、本発明の一態様として、上記の電子機器において、前記色情報指定部は、前記表示部に表示された１ドットを基にして色情報を指定するものも含まれる。
【００１５】
この構成により、使用者のキー操作により色情報を取得して保存することができ、保存した色情報をアプリケーションで利用することが可能となる。
【００１６】
さらに、本発明の一態様として、上記の電子機器において、記色情報指定部は、前記表示部に表示された複数のドットを基にして色情報を指定するものも含まれる。
【００１７】
この構成により、使用者のキー操作により色情報を取得して保存することができ、保存した色情報をアプリケーションで利用することが可能となる。
【００１８】
また、本発明の一態様として、上記の電子機器において、前記色データ変換部は、前記表示部に表示された複数のドットの色情報を平均化して色データに変換するものも含まれる。
【００１９】
この構成により、複数のドットを利用して色情報を取得した場合においても、所望の色に近い色情報を取得することができる。
【００２０】
また、本発明の一態様として、上記の電子機器において、前記色データ変換部は、前記表示部に表示された複数のドットに最も多く含まれる色情報を色データに変換するものも含まれる。
【００２１】
この構成により、複数のドットを利用して色情報を取得した場合においても、所望の色に近い色情報を取得することができる。
【００２２】
また、本発明の一態様として、上記の電子機器において、前記通信手段を用いて前記色データを他の電子機器に送信するものも含まれる。
【００２３】
この構成により、取得した色情報を他の電子機器においてもメール等のアプリケーションで利用することができる。
【００２４】
また、本発明の一態様として、上記の電子機器において、さらに、前記通信手段によって受信したメールから色データを認識する色データ認識部を備え、前記色データ取得部は、前記認識した色データを取得するものも含まれる。
【００２５】
この構成により、色データを含むメールを受信した際に、ドットを指定することなく、受信したメールに含まれるデータを指定するだけで容易に色情報を取得することができる。
【００２６】
本発明の電子機器の色情報取得方法は、画像情報を取得するステップと、該取得した画像情報を表示するステップと、該表示した画像情報から任意の色情報を指定するステップと、該指定した色情報を色データに変換するステップと、該変換した色データを取得するステップと、該取得した色データを記憶するステップと、を有している。
【００２７】
この方法により、カメラ付き携帯電話等の電子機器でユーザの周囲にある物を撮影し、撮影した画像からユーザの好みに合う色情報を取得して記憶、保存することにより、メール等のアプリケーションで利用できるようになる。また、予め電子機器に保存された画像やインターネットによるｗｅｂ画像から、ユーザが使いたい色情報を取得して記憶、保存することによりメール等のアプリケーションにおいて利用することができる。
【００２８】
また、本発明の一態様として、上記の電子機器の色情報取得方法において、前記色情報を指定するステップは、前記表示した画像情報の１ドットを基にして色情報を指定するものも含まれる。
【００２９】
この方法により、使用者のキー操作により色情報を取得して保存することができ、保存した色情報をアプリケーションで利用することが可能となる。
【００３０】
また、本発明の一態様として、上記の電子機器の色情報取得方法において、前記色情報を指定するステップは、前記表示した画像情報の複数のドットを基にして色情報を指定するものも含まれる。
【００３１】
この方法により、色情報を操作入力手段のキー操作により取得して保存することができ、保存した色情報をアプリケーションに利用することが可能となる。
【００３２】
さらに、本発明の一態様として、上記の電子機器において、前記電子機器が携帯端末であるものも含まれる。
【００３３】
この構成により、カメラでユーザの周囲にある物を撮影し、撮影した画像からユーザの好みに合う色情報を取得して記憶、保存することにより、メール等のアプリケーションで利用できるようになる。また、予め携帯端末に保存された画像やインターネットによるｗｅｂ画像から、ユーザが使いたい色情報を取得して記憶、保存することにより、メール等のアプリケーションにおいて利用することができる。
【発明の効果】
【００３４】
本発明によれば、携帯端末等の電子機器において、色情報を容易に取得し、取得した色情報を色データに変換して保存することにより、アプリケーションに利用することを可能にする電子機器、電子機器の色情報取得方法を提供できる。
【発明を実施するための最良の形態】
【００３５】
以下、本発明に係る電子機器、電子機器の色情報取得方法の実施形態について、図面を用いて説明する。なお、本実施形態において、色情報とは単に色を指し、色データとはデータに変換された色情報のことを言う。
【００３６】
（第１の実施形態）
本発明の第１の実施形態では、色情報を取得する電子機器として、カメラ付き携帯端末を例示する。図１は、本実施形態に係るカメラ付き携帯端末の概略構成を示す図である。
【００３７】
図１において、カメラ付き携帯端末１は、オブジェクト１１を撮影するカメラ部（撮像部）１０１、操作キーを備えて各部の動作を制御する操作部１０２、撮影した画像やインターネットのｗｅｂ閲覧画像を表示する液晶等の表示部１０３、所定の画像を保存する画像保存部（画像情報記憶部）１０４、表示部１０３に表示された画像の中から保存したい色情報を指定する色情報指定部１０５、指定された色情報をＲＧＢ形式等の色データに変換する色データ変換部１０６、色データを取得する色データ取得部１０７、色データを記憶、保存する色データ保存部（色データ記憶部）１０８、メール等のアプリケーション部１０９を有する構成である。
【００３８】
次に、以上のように構成されたカメラ付き携帯端末１の動作について、図面を参照しながら説明する。
【００３９】
まず、カメラを用いてオブジェクトを撮影した画像から色情報を取得する際の動作手順について説明する。図２は、本実施形態のカメラ付き携帯端末において、カメラで撮影したオブジェクトから色情報を取得して記憶する際の動作手順を説明するためのフローチャートである。また、図３は、撮影されたオブジェクトから色情報を取得する際の表示部における表示画面を示す斜視図である。
【００４０】
ステップＳ１０１において、カメラ部１０１を起動し、操作部１０２の所定のキー操作によりカメラ付き携帯端末１を色情報取得モードに切り替える（ステップＳ１０２）。
【００４１】
次いで、オブジェクト１１を撮影して表示部１０３に表示する（ステップＳ１０３）。ユーザは操作部１０２の方向キーを操作して、図３に示すように表示されたオブジェクト１１の画像から取得したい色情報がある部分にターゲット１３を合わせる（ステップＳ１０４）。ターゲット１３は、表示部１０３中央の特定の範囲に丸や四角などの形状で現れる。また、色情報指定部１０５によりターゲット１３が合った部分の色情報が、表示部１０３の下部に指定色１４として表示される。
【００４２】
ユーザは、指定色１４を見て取得したい色情報に間違いないことを確認し、操作部１０２の所定のキーを操作する。これにより、取得したい色情報が色データ変換部１０６に取り込まれる（ステップＳ１０５）。なお、このとき所定の操作キー以外のキーに触れるなどしてターゲットがオブジェクト１１の画像からずれてしまうことを防ぐために、色情報を取得するためのキーをタッチセンサ等にしてもよい。
【００４３】
また、色情報を指定する際には、ターゲット１３に含まれる１ドット、若しくは複数のドットで色情報を取得する。複数のドットから色情報を取得する方法としては、一定範囲のターゲット１３内に含まれる複数のドットの色情報を比較し、ターゲット１３内のドットに含まれる色情報の中で、最も多く含まれている色情報を単色の色データとして取得する。或いは、ターゲット１３内に含まれる複数のドットの色情報を平均化して、単色の色情報として取得するようにしてもよい。
【００４４】
このようにして取得した色情報は、色データ変換部１０６においてＲＧＢ形式等の色データに変換され（ステップＳ１０６）、色データ取得部１０７で取得されて、色データ保存部１０８に記憶、保存される（ステップＳ１０７）。そして、アプリケーション部１０９において、使用者の必要に応じフォントの色や、待ち受け画面の背景色などに随時利用される。
【００４５】
次に、画像保存部１０４に予め保存されている画像や、インターネットのｗｅｂ閲覧画像１２から色情報を取得する際の動作手順について説明する。図４は、本実施形態のカメラ付き携帯端末において、画像保存部１０４に保存されている画像やｗｅｂ閲覧画像１２から色情報を取得して記憶する際の動作手順を説明するためのフローチャートである。また、図５は、画像保存部１０４に予め保存されている画像や、インターネットのｗｅｂ閲覧画像１２から色情報を取得する際の表示部の表示画面を示す斜視図である。尚、ｗｅｂ閲覧画像１２からの色情報の取得は、外部の他の電子機器との間で画像情報を含む情報を所定のブラウザ等を含む図示せぬ通信部によって行なわれる。
【００４６】
ステップＳ２０１において、画像保存部１０４に予め保存されている画像、又はインターネットのｗｅｂ閲覧画像１２のいずれかを表示部１０３に表示する。ユーザは、操作部１０２の方向キーを操作して表示された表示画像１２の取得したい色情報がある部分にターゲット１３を合わせる（ステップＳ２０２）。このとき、色情報指定部１０５によってターゲット１３が合った部分の色１４が、表示部１０３の下部に指定色１４として表示される。
【００４７】
ユーザは、指定色１４を見て取得したい色情報に間違いないことを確認し、操作部１０２の所定のキーを操作する。これにより、取得したい色情報が色データ変換部１０６に取り込まれる（ステップＳ２０３）。取得した色情報は、色データ変換部１０６においてＲＧＢ形式等の色データに変換され（ステップＳ２０４）、色データ取得部１０７によって取得されて、色データ保存部１０８に記憶、保存される（ステップＳ２０５）。そして、アプリケーション部１０９において随時メール等のアプリケーションに利用される。
【００４８】
以上説明したように、このような本発明の第１の実施形態に係るカメラ付き携帯端末及び色情報取得方法によれば、カメラ部１０１で撮影したオブジェクト１１を表示部１０３に表示し、ユーザの取得したい色情報をターゲット１３内の１ドット、若しくは複数ドットで指定して取得する。取得した色情報は、色データ変換部１０６で色データに変換し、色データ保存部１０８に記憶、保存する。また、画像保存部１０４に予め保存されている画像やインターネットのｗｅｂ閲覧画像を表示部１０３に表示し、同様にしてユーザの好みの色情報を取得するとともに、変換された色データを色データ保存部１０８に記憶、保存する。保存された色データは、アプリケーション部１０９においてフォントの色や待ち受け画面の背景色にするなどして随意利用することができる。
【００４９】
なお、本実施形態では、電子機器としてカメラ付き携帯端末を例示したが、これに限定するものではなく、携帯電話やＰＤＡ（携帯情報端末）等の他の電子機器においても同様に適用できることはいうまでもない。
【００５０】
（第２の実施形態）
本発明の第２の実施形態では、色情報を取得する電子機器として、通信機能付き携帯端末を例示する。図６は、本実施形態に係る通信機能付き携帯端末の概略構成を示す図である。
【００５１】
図６において、通信機能付き携帯端末２は、各部を制御するための操作キーからなる操作部２０１、他の電子機器からメールを受信してその中に含まれる色データを認識する色データ認識部２０２、認識された色データを取得する色データ取得部２０３、取得した色データを記憶、保存する色データ保存部２０４、メール等のアプリケーション部２０５を有する構成である。
【００５２】
次に、以上のように構成された通信機能付き携帯端末２の動作について、図面を参照しながら説明する。図７は、本実施形態の通信機能付き携帯端末において、受信したメールから色情報を取得して記憶する際の動作手順を説明するためのフローチャートである。
【００５３】
まず、ステップＳ３０１において、携帯端末等の電子機器から送信された色データ付きメール２１を受信すると、色データ認識部２０２はメールに含まれる色データを認識する（ステップＳ３０２）。
【００５４】
次いで、操作部２０１の所定のキーを操作して、色データ取得部４０５でメールから認識された色データを取得する（ステップＳ３０３）。取得された色データは色データ保存部２０４に記憶、保存され（ステップＳ３０４）、メール等のアプリケーション部２０５において随時利用される。
【００５５】
尚、ここでのメールからの色データの取得とは、メールに含まれて送られてきた色データそのものを、添付ファイルと同じような感覚で取得することが考えられる。例えば、メール画面において色情報取得モードを起動することにより、そのメールに含まれる色情報一覧のようなものが表示され、そこから選択取得する態様が考えられる。すなわち、添付ファイル（色データ）を色パレット形式などの一覧で表示し、そのデータを選択取得する。色パレット形式以外の形式としては、メールに含まれる色データをアイコン表示し、そのアイコンを選択すると、下側や横等に位置する指定色１４の色情報表示バーに色情報を表示する形式のも採用することができる。
【００５６】
なお、色データを添付する通信媒体は、ＩｒＤＡ（Infrared Data Association）等による赤外線通信や、微弱電波を用いるブルートゥース（Bluetooth）等による近距離無線通信等を利用するものであってもよい。
【００５７】
以上説明したように、このような本発明の第２の実施形態に係る通信機能付き携帯端末及び色情報取得方法によれば、色データ付きメール２１を受信して色データ認識部２０２で色データを認識し、操作部２０１の所定のキー操作により色データ取得部２０３で認識された色データを取得して色データ保存部２０４に記憶、保存する。保存された色データは、アプリケーション部２０５においてフォントの色や待ち受け画面の背景色にするなどして随意利用することができる。
【００５８】
なお、本実施形態では、電子機器として通信機能付き携帯端末を例示したが、携帯電話やＰＤＡ（携帯情報端末）等の他の電子機器であっても同様に適用できる。
【００５９】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６０】
本発明の電子機器、電子機器の色情報取得方法は、色情報を容易に取得し、取得した色情報を色データに変換して保存することにより、アプリケーションに利用することを可能にする効果を有し、カメラ付き携帯端末や携帯電話、ＰＤＡ等に有用である。
【図面の簡単な説明】
【００６１】
【図１】本発明の第１の実施形態に係るカメラ付き携帯端末の概略構成を示す図
【図２】第１の実施形態のカメラ付き携帯端末において、カメラで撮影されたオブジェクトから色情報を取得して記憶する際の動作手順を説明するためのフローチャート
【図３】第１の実施形態のカメラ付き携帯端末において、撮影されたオブジェクトから色情報を取得する際の表示画面を示す斜視図
【図４】第１の実施形態に係るカメラ付き携帯端末において、予め保存されている画像やｗｅｂ閲覧画像から色情報を取得して記憶する際の動作手順を説明するためのフローチャート
【図５】第１の実施形態に係るカメラ付き携帯端末において、予め保存されている画像やｗｅｂ閲覧画像から色情報を取得する際の表示画面を示す斜視図
【図６】本発明の第２の実施形態に係る通信機能付き携帯端末の概略構成を示す図
【図７】本実施形態の通信機能付き携帯端末において、受信したメールから色情報を取得して記憶する際の動作手順を説明するためのフローチャート
【符号の説明】
【００６２】
１  カメラ付き携帯端末
２  通信機能付き携帯端末
１１  オブジェクト
１２  ｗｅｂ閲覧画像
２１  色データ付きメール
１０１  カメラ部
１０２、２０１  操作部
１０３  表示部
１０４  画像保存部
１０５  色情報指定部
１０６  色データ変換部
１０７、２０３  色データ取得部
１０８、２０４  色データ保存部
１０９  アプリケーション部
２０２  色データ認識部
【図１】
2006344028.tif 000003
【図２】
2006344028.tif 000004
【図３】
2006344028.tif 000005
【図４】
2006344028.tif 000006
【図５】
2006344028.tif 000007
【図６】
2006344028.tif 000008
【図７】
2006344028.tif 000009